(57)【要約】【課題】電話機に接続されている表示装置等を任意の機器と共用し、且つ、この任意の機器に当初より含まれている表示装置が存在する場合には、これら複数の表示装置を適切に使い分ける。【解決手段】第１の装置に割り当てられる固定表示エリアと、変動表示エリアとを設ける。変動表示エリアに第１及び第２の装置のうちの一方を割り当てる。固定表示エリアの指定を伴う表示情報を第１の装置から入力した時に、その表示情報に基づいて固定表示エリアに表示をする。変動表示エリアの指定を伴う表示情報を第１の装置から入力した時に、割り当てにより第１の装置が変動表示エリアに割り当てられているならば、その表示情報に基づいて変動表示エリアに表示をする。表示情報を第２の装置から入力した時に、第２の装置が変動表示エリアに割り当てられているならば、その表示情報に基づいて変動表示エリアに表示をする。【選択図】図１
2014095738.tif 000002
【特許請求の範囲】
【請求項１】
第１の装置と第２の装置とのためのグラフィックユーザインターフェース装置であって、
前記第１の装置に割り当てられる固定表示エリアと、
変動表示エリアと、
前記変動表示エリアに前記第１の装置及び前記第２の装置のうちの一方を割り当てる割当手段と、
前記固定表示エリアの指定を伴う表示情報を前記第１の装置から入力した時に、その表示情報に基づいて前記固定表示エリアに表示をする手段と、
前記変動表示エリアの指定を伴う表示情報を前記第１の装置から入力した時に、前記割当手段により前記第１の装置が前記変動表示エリアに割り当てられているならば、その表示情報に基づいて前記変動表示エリアに表示をする手段と、
表示情報を前記第２の装置から入力した時に、前記割当手段により前記第２の装置が前記変動表示エリアに割り当てられているならば、その表示情報に基づいて前記変動表示エリアに表示をする手段と、
を備えることを特徴とするグラフィックユーザインターフェース装置。
【請求項２】
請求項１に記載のグラフィックユーザインターフェース装置であって、
前記固定表示エリアに対して入力があった時に、該入力の位置を示す位置情報を前記第１の装置に出力する手段と、
前記変動表示エリアに対して入力があった時に、前記割当手段により前記第１の装置が前記変動表示エリアに割り当てられているならば、前記入力の位置を示す位置情報を前記第１の装置に出力する手段と、
前記変動表示エリアに対して入力があった時に、前記割当手段により前記第２の装置が前記変動表示エリアに割り当てられているならば、前記入力の位置を示す位置情報を前記第２の装置に出力する手段と、
を更に備えることを特徴とするグラフィックユーザインターフェース装置。
【請求項３】
請求項１又は２に記載のグラフィックユーザインターフェース装置であって、
前記割当手段は、前記変動表示エリアに前記第１の装置及び前記第２の装置の双方を同時に割り当てる同時割り当てモードも有し、
前記同時割り当てモードにおいて、前記変動表示エリアの指定を伴う表示情報を前記第１の装置から入力した時に、その表示情報に基づいて前記変動表示エリアのうちの前記第１の装置に割り当てられている部分に表示をし、表示情報を前記第２の装置から入力した時に、その表示情報に基づいて前記変動表示エリアのうちの前記第２の装置に割り当てられている部分に表示をする手段を更に備えることを特徴とするグラフィックユーザインターフェース装置。
【請求項４】
請求項３に記載のグラフィックユーザインターフェース装置であって、
前記同時割り当てモードにおいて、前記変動表示エリアに対して入力があった時に、前記入力の位置を示す位置情報を前記第１の装置及び前記第２の装置のうちの前記位置情報を含む部分が割り当てられている装置に出力する手段を更に有することを特徴とするグラフィックユーザインターフェース装置。
【請求項５】
請求項１乃至４の何れか１項に記載のグラフィックユーザインターフェース装置であって、
前記割当手段は、前記固定エリアに設けられた選択スイッチに対する操作に従って割当てを行うことを特徴とするグラフィックユーザインターフェース装置。
【請求項６】
請求項１乃至４の何れか１項に記載のグラフィックユーザインターフェース装置であって、
前記割当手段は、前記第１の装置における所定の動作があった旨の通知を前記第１の装置から入力した時に、前記変動表示エリアを前記第１の装置に割り当てることを特徴とするグラフィックユーザインターフェース装置。
【請求項７】
第１の装置と第２の装置とのためのグラフィックユーザインターフェース装置を前記第１の装置と第２の装置とで兼用させるための兼用方法であって、
前記グラフィックユーザインターフェース装置の表示画面を、第１の装置に割り当てられる固定表示エリアと、変動表示エリアと、の２つのエリアに区分するステップと、
前記変動表示エリアに前記第１の装置及び前記第２の装置のうちの一方を割り当てる割当ステップと、
前記固定表示エリアの指定を伴う表示情報を前記第１の装置から入力した時に、その表示情報に基づいて前記固定表示エリアに表示をするステップと、
前記変動表示エリアの指定を伴う表示情報を前記第１の装置から入力した時に、前記割当ステップにおいて前記第１の装置が前記変動表示エリアに割り当てられているならば、その表示情報に基づいて前記変動表示エリアに表示をするステップと、
表示情報を前記第２の装置から入力した時に、前記割当ステップにおいて前記第２の装置が前記変動表示エリアに割り当てられているならば、その表示情報に基づいて前記変動表示エリアに表示をするステップと、
を有することを特徴とする兼用方法。
【請求項８】
第１の装置と第２の装置とのためのグラフィックユーザインターフェース装置としてコンピュータを機能させる為の兼用プログラムであって、
前記コンピュータを、
前記第１の装置に割り当てられる固定表示エリアと、
変動表示エリアと、
前記変動表示エリアに前記第１の装置及び前記第２の装置のうちの一方を割り当てる割当手段と、
前記固定表示エリアの指定を伴う表示情報を前記第１の装置から入力した時に、その表示情報に基づいて前記固定表示エリアに表示をする手段と、
前記変動表示エリアの指定を伴う表示情報を前記第１の装置から入力した時に、前記割当手段により前記第１の装置が前記変動表示エリアに割り当てられているならば、その表示情報に基づいて前記変動表示エリアに表示をする手段と、
表示情報を前記第２の装置から入力した時に、前記割当手段により前記第２の装置が前記変動表示エリアに割り当てられているならば、その表示情報に基づいて前記変動表示エリアに表示をする手段と、
を備えるグラフィックユーザインターフェース装置として機能させることを特徴とする兼用プログラム。
【発明の詳細な説明】
【技術分野】
【０００１】
本発明は、電話機に接続される装置を他の用途にも兼用する為の、兼用グラフィックユーザインターフェース装置、兼用方法及び兼用プログラムに関する。
【背景技術】
【０００２】
パーソナルコンピュータ（Personal computer：以下、適宜「ＰＣ」と呼ぶ。）はオフィスや家庭内において用途を問わず広く一般に用いられている。
【０００３】
例えばオフィスでは個々人が使用するデスク毎にＰＣが設置されることが一般的になっている。また、ノート型やタブレット型と呼ばれる携帯可能なＰＣや、スマートフォンと呼ばれるＰＣと遜色ない機能を有した携帯電話機等も広く普及している。
【０００４】
そして、これらＰＣ等の機器の操作を容易とする為にマウスやキーボードといった外部入力機器を接続したり、外部ディスプレイを更に接続したりするという場面が有る。
【０００５】
このような入力装置や出力装置といった周辺機器をＰＣ等の機器に新たに接続する場合、一般的には追加したい機能を提供するための周辺機器を予め購入しておく。そして、これら周辺機器を実際に使用する際にはマウスやキーボード用のＰＳ／２ポートといった専用インターフェースやＵＳＢ（Universal Serial Bus）規格に準拠した汎用のインターフェースを介して周辺機器とＰＣ等を接続していた。
【０００６】
一方で、オフィス等のデスク上には電話機が設置されていることが多く、また、これら電話機には表示装置や入力装置が含まれていることが通常である。そして、この電話機に含まれる表示装置等をＰＣ等の周辺機器としても兼用することを試みている技術が存在する。
【０００７】
例えば、特許文献１には卓上に設置される電話機の操作部や表示部を、ＰＣ用のオペレーティングシステムが組み込まれたＩＰソフトフォンと共用するという技術が記載されている。
【０００８】
また、特許文献２には携帯電話機として動作する場合と、ＰＣとして動作する場合とでは入力装置の形状を変形しつつも、表示装置に関しては何れの場合でも共用するという技術が記載されている。
【先行技術文献】
【特許文献】
【０００９】
【特許文献１】特表２００７−１３８９３８号公報
【特許文献２】特開２００５−０５１５５０号公報
【発明の概要】
【発明が解決しようとする課題】
【００１０】
上述した特許文献１及び特許文献２に記載の技術等を利用することにより、電話機とＰＣ等とで表示装置等を共用することが可能となる。そして、これにより狭いデスクで場所を確保できる等のメリットが生じる。
【００１１】
しかしながら、これらの一般的な技術では電話機とＰＣとが一体の機器として形成されている。そのため、任意のＰＣ等と任意の電話機とを組み合わせて利用するようなことはできなかった。
【００１２】
更に、これらの一般的な技術では電話機とＰＣとが一つの表示部を共用することのみを想定している。よって、当初から表示部を有しているノート型やタブレット型と呼ばれる携帯可能なＰＣやスマートフォンと、これらの一般的な技術により提供される電話機を組み合わせたとしても複数の表示部を適切に使い分けるようなことはできなかった。
【００１３】
そこで、本発明は、電話機に接続されている表示装置等を任意の機器と共用し、且つ、この任意の機器に当初より含まれている表示装置が存在する場合には、これら複数の表示装置を適切に使い分けることが可能な、兼用グラフィックユーザインターフェース装置、兼用方法及び兼用プログラムを提供することを目的とする。
【課題を解決するための手段】
【００１４】
本発明の第１の観点によれば、第１の装置と第２の装置とのためのグラフィックユーザインターフェース装置であって、前記第１の装置に割り当てられる固定表示エリアと、変動表示エリアと、前記変動表示エリアに前記第１の装置及び前記第２の装置のうちの一方を割り当てる割当手段と、前記固定表示エリアの指定を伴う表示情報を前記第１の装置から入力した時に、その表示情報に基づいて前記固定表示エリアに表示をする手段と、前記変動表示エリアの指定を伴う表示情報を前記第１の装置から入力した時に、前記割当手段により前記第１の装置が前記変動表示エリアに割り当てられているならば、その表示情報に基づいて前記変動表示エリアに表示をする手段と、表示情報を前記第２の装置から入力した時に、前記割当手段により前記第２の装置が前記変動表示エリアに割り当てられているならば、その表示情報に基づいて前記変動表示エリアに表示をする手段と、を備えることを特徴とするグラフィックユーザインターフェース装置が提供される。
【００１５】
本発明の第２の観点によれば、第１の装置と第２の装置とのためのグラフィックユーザインターフェース装置を前記第１の装置と第２の装置とで兼用させるための兼用方法であって、前記グラフィックユーザインターフェース装置の表示画面を、第１の装置に割り当てられる固定表示エリアと、変動表示エリアと、の２つのエリアに区分するステップと、前記変動表示エリアに前記第１の装置及び前記第２の装置のうちの一方を割り当てる割当ステップと、前記固定表示エリアの指定を伴う表示情報を前記第１の装置から入力した時に、その表示情報に基づいて前記固定表示エリアに表示をするステップと、前記変動表示エリアの指定を伴う表示情報を前記第１の装置から入力した時に、前記割当ステップにおいて前記第１の装置が前記変動表示エリアに割り当てられているならば、その表示情報に基づいて前記変動表示エリアに表示をするステップと、表示情報を前記第２の装置から入力した時に、前記割当ステップにおいて前記第２の装置が前記変動表示エリアに割り当てられているならば、その表示情報に基づいて前記変動表示エリアに表示をするステップと、を有することを特徴とする兼用方法が提供される。
【００１６】
本発明の第３の観点によれば、第１の装置と第２の装置とのためのグラフィックユーザインターフェース装置としてコンピュータを機能させる為の兼用プログラムであって、前記コンピュータを、前記第１の装置に割り当てられる固定表示エリアと、変動表示エリアと、前記変動表示エリアに前記第１の装置及び前記第２の装置のうちの一方を割り当てる割当手段と、前記固定表示エリアの指定を伴う表示情報を前記第１の装置から入力した時に、その表示情報に基づいて前記固定表示エリアに表示をする手段と、前記変動表示エリアの指定を伴う表示情報を前記第１の装置から入力した時に、前記割当手段により前記第１の装置が前記変動表示エリアに割り当てられているならば、その表示情報に基づいて前記変動表示エリアに表示をする手段と、表示情報を前記第２の装置から入力した時に、前記割当手段により前記第２の装置が前記変動表示エリアに割り当てられているならば、その表示情報に基づいて前記変動表示エリアに表示をする手段と、を備えるグラフィックユーザインターフェース装置として機能させることを特徴とする兼用プログラムが提供される。
【発明の効果】
【００１７】
本発明によれば、電話機に接続されている表示装置等を任意の機器と共用し、且つ、この任意の機器に当初より含まれている表示装置が存在する場合には、これら複数の表示装置を適切に使い分けることが可能となる。
【図面の簡単な説明】
【００１８】
【図１】本発明の実施形態の基本的構成を表すブロック図である。
【図２】本発明の実施形態の運用時の概要を表す概念図である。
【図３】本発明の実施形態における電話機機能ボタンの表示例を表すイメージ図である。
【図４】本発明の実施形態におけるＰＣ側の機能として電卓を表示している例を表すイメージ図である。
【図５】本発明の実施形態におけるＰＣ側の機能としてメモＰＡＤを表示している例を表すイメージ図である。
【図６−１】本発明の実施形態及び第１の変形例の基本的動作に含まれる処理全体を表すフローチャートである。
【図６−２】本発明の実施形態のＰＣ接続関連処理を表すフローチャートである。
【図６−３】本発明の実施形態の入力関連処理を表すフローチャートである。
【図６−４】本発明の実施形態の表示関連処理を表すフローチャートである。
【図６−５】本発明の実施形態の第１の変形例の入力関連処理を表すフローチャートである。
【図６−６】本発明の実施形態の第１の変形例の表示関連処理を表すフローチャートである。
【図７】本発明の実施形態の第１の変形例における表示例について表すイメージ図である。
【図８】本発明の実施形態の第３の変形例における表示例について表すイメージ図である。
【図９】本発明の実施形態の第４の変形例における表示例について表すイメージ図である。
【図１０】本発明の実施形態の第５の変形例における表示例について表すイメージ図である。
【発明を実施するための形態】
【００１９】
まず、本発明の実施形態の概略を説明する。本発明の実施形態は、概略、マンマシーン（man machine）の入出力インターフェースとしてタッチパネル機能付き大型ディスプレイを含む卓上電話機において、卓上電話機の操作盤面をタッチパネル機能付きディスプレイとし、その機能をＰＣの入力インターフェースとしても利用できるようにするというものである。そのために、本実施形態では操作盤面を共用することで、新たな場所を確保することなくＰＣの入力をサポートすることを可能とする。具体的には、卓上電話機にタッチパネル機能付きのディスプレイを搭載し、画面内もしくは外に電話機側機能かＰＣ側機能かを切替え兼判別可能なボタンを配置することで、一つのディスプレイで電話機操作および様々なＰＣ入力機能をサポート可能とする。これが本実施形態の概略である。
【００２０】
次に、本発明の実施形態について図面を参照して詳細に説明する。
【００２１】
図１には本実施形態の基本的構成である、電話機本体部１００、タッチパネル機能付きディスプレイ部２００及びＰＣ３００が表されている。
【００２２】
なお、電話機本体部１００は本発明の「第１の装置又は第２の装置」の何れかの一方に相当するものであり、ＰＣ３００は本発明の「第１の装置又は第２の装置」の何れかの他方に相当するものである。また、タッチパネル機能付きディスプレイ部２００は本発明の「兼用グラフィックユーザインターフェース装置」に相当するものである。
【００２３】
図１を参照すると、電話機本体部１００は電話機能制御部１０１を含む。また、タッチパネル機能付きディスプレイ部２００は、表示機能制御部２０１、電話機接続Ｉ／Ｆ２０２、主制御部２０３、ＰＣ接続Ｉ／Ｆ２０４、タッチパネル制御部２０５、ディスプレイ２０６及びタッチパネル２０７を含む。更に、ＰＣ３００は制御ドライバ３０１及びアプリケーション部３０２を含む。
【００２４】
ここで、図１に表される各機能ブロックは特に本実施形態に関係する部分であり、本実施形態の要旨ではなく且つ当業者にとってよく知られている他の一般的な機能ブロックに関しては図示を省略している。例えば、電話機本体部１００を例に取るとハンドセットや電源部、主装置と通信する為のインターフェースといった、電話機としての一般的な機能を提供するための詳細な機能ブロックについては図示を省略している。
【００２５】
電話機能制御部１０１は、電話機本体部１００を、通話機能を有する電話機として機能させる部分である。また、電話機能制御部１０１は電話機能に関する情報をタッチパネル機能付きディスプレイ部２００に送信し、この情報をディスプレイ２０６上に表示させる。なお、以下の説明においてはこの情報を「電話機側表示情報」と呼ぶ。
【００２６】
ここで電話機側表示情報とは、例えば、電話番号を入力するためのソフトキーや留守番電話等の機能が割り当てられたソフトキーを含んだユーザインタフェースである。また、これ以外にも、或る電話番号から着信があった場合の発信元の電話番号等の情報や、伝言が残されている旨を通知する情報が電話機側表示情報の一例として挙げられる。更に、これ以外にも時刻や日時を表す情報や電話機本体部１００に割り当てられている内線番号等が電話機側表示情報に含まれる場合もある。なお、これらはあくまで例示に過ぎずこれ以外の情報を含んでいたり他の情報に置き換えられたりしても良い。
【００２７】
なお、この電話機側表示情報及び後述するＰＣ側表示情報には、「表示切り替えボタン」がソフトキーとして含まれているものとする。そして、本実施形態では表示切替えボタンの操作に応じて、電話機側表示情報及びＰＣ側表示情報が切り替えられて表示される。表示切り替えボタンは単一のボタンにより実現され、このボタンを押すたびに電話機側表示情報及びＰＣ側表示情報の何れかが交互に表示されるようにしても良いし、電話機側表示情報を表示するためのボタンとＰＣ側表示情報を表示するためのボタンの２つのボタンが設けられるようにしても良い。また、ボタンではないユーザインタフェースにより実現されても良い。
【００２８】
また電話機能制御部１０１は、タッチパネル機能付きディスプレイ部２００からタッチパネル２０７上の位置情報を取得し、この位置情報をユーザからの操作として受け付ける。ここで、位置情報とはタッチパネル２０７上でユーザの操作を受け付けた位置を特定するための情報であり、例えば座標情報である。また、位置情報として同時に複数の離れた箇所がタッチされた場合（マルチタッチと呼ばれることもある）には、この複数の離れた箇所の位置情報を全て受け付けるようにしても良い。
【００２９】
電話機接続Ｉ／Ｆ２０２は主制御部２０３と電話機能制御部１０１を繋ぐ為のインターフェースである。主制御部２０３と電話機能制御部１０１は電話機接続Ｉ／Ｆ２０２を介して接続され、電話機側表示情報やタッチパネル位置情報をやり取りする。
【００３０】
主制御部２０３は、タッチパネル機能付きディスプレイ部２００を制御する部分であり、表示切替えボタンの操作に応じて電話機本体部１００及びＰＣ３００と通信を行う。通信内容は、下りがタッチパネル位置情報、上りが電話機側表示情報及びＰＣ側表示情報となる。そして、本実施形態では主制御部２０３の制御に基づいてディスプレイ上に表示される情報が切り替わる。具体的には電話機本体部１００から送信される電話機側表示情報が表示されるのか、ＰＣ３００から送信されるＰＣ側表示情報が表示されるのかが切り替わる。
【００３１】
なお、本実施形態では電話機側表示情報、ＰＣ側制御情報及び位置情報のみが図示されているが、これ以外の情報が送受信されても良い。例えばタッチパネル機能付きディスプレイ部２００を介して、ＰＣ３００から電話機本体部１００に対して電話機本体部１００の機能設定を変更する為の情報が送信されるようにしても良い。またタッチパネル機能付きディスプレイ部２００を介して、電話機本体部１００を利用した通話の内容を電話機本体部１００からＰＣ３００に対して送信し、この通信内容をＰＣ３００上で記録するようにしても良い。更に、これら任意の情報以外に例えば各インターフェースを介して一方から他方に電源の供給が行われるようにしても良い、
表示機能制御部２０１はディスプレイ２０６上に情報を表示するための制御部であり、主制御部２０３が選択した電話機側表示情報又はＰＣ側表示情報をディスプレイ２０６上に表示する。
【００３２】
更に、ＰＣ接続Ｉ／Ｆ２０４は主制御部２０３と制御ドライバ３０１を繋ぐ為のインターフェースである。主制御部２０３と制御ドライバ３０１はＰＣ接続Ｉ／Ｆ２０４を介して接続され、ＰＣ側表示情報やタッチパネルの位置情報をやり取りする。ＰＣ接続Ｉ／Ｆ２０４は本実施形態特有の形状や規格に準じたインターフェースであっても構わないが、ＵＳＢ規格等の汎用の規格に準じたインターフェースである方が適用可能な機器を問わないという点で望ましい。
【００３３】
更に、タッチパネル制御部２０５はタッチパネル２０７上でのユーザの操作を受け付け、受け付けた内容を位置情報として主制御部２０３に通知する。
【００３４】
なお、表示機能制御部２０１が制御するディスプレイ２０６とタッチパネル制御部２０５が制御するタッチパネル２０７は一体となって実現されており、ユーザは画面に直接触れることにより操作を行うことが可能となる。なお、必要に応じてペン型の入力装置等でタッチパネルに触れることで操作を実現するようにしても良い。なお、本実施形態におけるタッチパネル２０７は静電容量方式であっても良く感圧式であっても良く、これら以外の方式により実現しても良い。また、ディスプレイ２０６も液晶ディスプレイにより実現されても良く、有機エレクトロルミネッセンス（Organic Electro-Luminescence）ディスプレイにより実現されても良く、これら以外の方式により実現しても良い。
【００３５】
ＰＣ３００は、ユーザが利用するパーソナルコンピュータであり、その形状や、ＯＳ（Operating System）及びファームウェアの種別、等に制限は無い。例えば、デスクトップと呼ばれる据え置き型のＰＣや携帯可能なノート型やタブレット型のＰＣであってもよいし、スマートフォンと呼ばれるような携帯電話機であっても良く、更に本実施形態特有の端末であっても良い。また、汎用のＯＳが組み込まれていても良く、本実施形態特有のＯＳがファームウェアとして組み込まれていても良い。
【００３６】
制御ドライバ３０１はＰＣ３００に組み込まれるデバイスドライバであり、タッチパネル機能付きディスプレイ部２００を入出力デバイスとして認識し、且つ、タッチパネル機能付きディスプレイ部２００を入出力デバイスとして制御するためのドライバである。
【００３７】
アプリケーション部３０２は、タッチパネル機能付きディスプレイ部２００を入出力デバイスとして利用するアプリケーションソフトウェアである。アプリケーション部３０２は制御ドライバ３０１を介してタッチパネル機能付きディスプレイ部２００と位置情報及びＰＣ側表示情報のやり取りを行う。アプリケーション部３０２は任意の内容のアプリケーション機能を実現するもので良く、例えば、描画を行うペイントアプリや、電卓を実現するアプリ等、ユーザからの操作を受け付けるアプリケーションであれば任意のものであって良い。また、本実施形態特有のアプリケーションであっても良いが、汎用のアプリケーションそのもの又は汎用のアプリケーションを一部変更したものであっても良い。更に、アプリケーションの一部が電話機能に関するものであっても良い。例えば、電話機本体部１００の留守番電話機能の設定や音量の設定等を制御するアプリケーションであっても良い。
【００３８】
なお、本実施形態はハードウェアとして実現してもよいが、ソフトウェアとハードウェアが協働することにより実現しても良い。例えば電話機能制御部１０１や主制御部２０３を、それぞれ、制御用のＩＣ（Integrated Circuit）により実現しても良い。他にも例えば、制御ドライバ３０１及びアプリケーション部３０２を、それぞれ、ソフトウェアとし、演算処理装置がこのソフトウェアに基づいて演算処理及び制御動作を行うことにより実現してもよい。
【００３９】
また、制御ドライバ３０１やアプリケーション部３０２を実現する為のソフトウェアはＰＣ３００製造時に予め組み込まれていても良いが、事後的にＰＣ３００に組み込まれるようにしても良い。例えば、様々なタイプの実体のある記録媒体に格納されたソフトウェアをＰＣ３００が読み取るようにしても良いし、インターネット上に構築されたサイトからＰＣ３００がソフトウェアをダウンロードするようにしても良い。また、タッチパネル機能付きディスプレイ部２００に予めソフトウェアを格納しておき、ＰＣ３００がＰＣ接続Ｉ／Ｆ２０４に接続された際にタッチパネル機能付きディスプレイ部２００からＰＣ３００に対してソフトウェアが送信されるようにしても良い。
【００４０】
続いて、本実施形態の運用時の概要図である図２を参照して本実施形態の説明を続ける。
【００４１】
図２に表されるように電話機本体部１００及びタッチパネル機能付きディスプレイ部２００は一体として実現される。そして、タッチパネル機能付きディスプレイ部２００に含まれるＰＣ接続Ｉ／Ｆ２０４を介してタッチパネル機能付きディスプレイ部２００とＰＣ３００は接続される。
【００４２】
そして、ディスプレイ２０６上の表示エリア上部には電話機側表示情報を表示するための表示切り替えボタンとＰＣ側表示情報を表示するための表示切り替えボタンの２つのボタンが表示されている。ユーザはこれらの表示切り替えボタンを押下することによりディスプレイ２０６上に表示される表示情報を切り替えることができる。また、これらの表示切り替えボタンは、現在ディスプレイ２０６上に表示中の機能が電話機本体部１００からのものかＰＣ３００からのものかが分かるための通知機能を兼ねるようにしても良い。例えば現在ディスプレイ２０６上に電話機側表示情報が表示されているのであれば、電話機側表示情報を表示するための表示切り替えボタンをハイライト表示し、ＰＣ側表示情報を表示するための表示切り替えボタンは通常表示する。また、これ以外にも色彩をそれぞれ異なるものとしたり一方を点滅させたりするようにして表示する。ユーザはこれを見ることにより現在ディスプレイ２０６上に表示されている情報が電話機側表示情報であるのか、又はＰＣ側表示情報であるのかを判断することが可能となる。
【００４３】
続いて、図３を参照して電話機側表示情報が表示される場合の表示例について説明する。
【００４４】
本実施形態においては、ディスプレイ２０６上に固定表示エリアと変動表示エリアを設ける。そして、固定表示エリアには電話機側表示情報を常時表示するようにする。図３では一例として表示切り替えボタンや日時等が固定表示エリアに表示されている。固定表示エリアには常時このような情報が表示されたままとされ、原則的には表示切り替えボタンが押されたとしてもＰＣ側表示情報が固定表示エリアに表示されることは無いものとする。もっとも、アプリケーション部３０２により実現されるアプリケーションによっては一時的に固定表示エリア上にＰＣ側表示情報が表示されるようにしても良い。
【００４５】
一方で、変動表示エリアに表示される内容は表示切り替えボタンの押下に応じて、電話機側表示情報又はＰＣ側表示情報の何れかに変動するものとする。
【００４６】
ここで、電話機側表示情報に含まれているボタンのデザイン等は、電話機本体部１００が表示している。そのため、電話機の商品シリーズを変更するような場合には電話機能制御部１０１に改変を加えるのみでボタン形状・配置を変える等変化を加えることができる。すなわち、電話機本体部１００の基本的構成やタッチパネル機能付きディスプレイ部２００の構成を大幅に変えることなく電話機の商品シリーズを変更するようなことが可能となる。
【００４７】
続いて、図４及び図５を参照してＰＣ側表示情報が表示された場合の一例を説明する。
【００４８】
図４には、ＰＣ３００側のアプリケーション部３０２が実現する機能として電卓アプリを表示している例が表されている。
【００４９】
画面上部の固定表示エリアには、電話機本体部１００の電話機能に関連して最低限表示が必要な内線番号及び現在時刻に関する情報を表示している。
【００５０】
画面下側の変動表示エリアには、ＰＣ側表示情報に基づいて電卓ボタンの表示がなされている。ＰＣ３００側のアプリケーション部３０２は、押下されたタッチパネルの位置情報に応じて逐次表示内容を変更する。
【００５１】
図５には、ＰＣ３００側のアプリケーション部３０２が実現する機能としてメモＰＡＤアプリを表示している例が表されている。
【００５２】
図４と同様に画面上部の固定表示エリアには、電話機本体部１００の電話機能に関連して最低限表示が必要な内線番号及び現在時刻に関する情報を表示している。
【００５３】
画面下側の変動表示エリアには、ＰＣ側表示情報に基づいてメモエリアおよび追加機能が表示されている。ＰＣ３００側のアプリケーション部３０２は、押下されたタッチパネルの位置情報に応じて逐次表示内容を変更する。
【００５４】
次に、図６−１乃至図６−４のフローチャートを参照して本実施形態の基本的動作について説明する。
【００５５】
まず、ＰＣ３００が未接続の状態で、タッチパネル機能付きディスプレイ部２００の電源が投入されたとする。その後、タッチパネル機能付きディスプレイ部２００の電源が遮断されるまでは図６−１に表されるＰＣ接続関連処理（ステップＡ１０）、入力関連処理（ステップＡ３０）及び表示関連処理（ステップＡ６０）の３つの処理が繰り返される。
【００５６】
まず、図６−２を参照してＰＣ接続関連処理（ステップＡ１０）について詳細に説明する。
【００５７】
ここで、本実施形態ではＰＣ接続状態を管理するためのフラグ（以下、「ＰＣ接続フラグ」と呼ぶ）を設けておき、主制御部２０３がこのＰＣ接続状態フラグを管理するようにする。ＰＣ接続フラグは、ＰＣ３００がタッチパネル機能付きディスプレイ部２００に接続されている状態のときにセットされ、接続されていない状態のときにはリセットされるものとする。
【００５８】
ＰＣ接続関連処理（ステップＳ１０）が開始されるとタッチパネル機能付きディスプレイ部２００にＰＣ３００が接続されているかを確認する（ステップＳ１１）。ＰＣ３００が接続されていない場合は（ステップＳ１１においてＮｏ）、ＰＣ接続フラグをリセットし、ＰＣ接続関連処理（ステップＡ１０）を終了する（ステップＳ１２）。
【００５９】
一方で、ＰＣ３００が接続されている場合は（ステップＳ１１においてＹｅｓ）、ＰＣ接続フラグをセットし（ステップＳ１３）、ステップＳ１４に進む。
【００６０】
ステップＳ１４では自動割り当て設定がなされているかを確認する。ここで、自動割り当て設定とは今回のＰＣ３００の接続を最初に検知したことを契機として強制的に変動表示エリアに表示を行う機器をＰＣ３００へと切り替える設定のことを指す。自動割り当て設定がされており、更に今回のＰＣ接続関連処理（ステップＡ１０）のステップＳ１１にて初めてＰＣ接続を確認した場合には自動割り当ての条件を満たす（ステップＳ１４においてＹｅｓ）。そのため、ＰＣ３００に変動表示エリアを割り当て、ＰＣ接続関連処理（ステップＡ１０）を終了する（ステップＳ１５）。
【００６１】
一方で、自動割り当ての条件を満たさない場合には（ステップＳ１４においてＮｏ）、特に処理を行うことなくＰＣ接続関連処理（ステップＡ１０）を終了する。
【００６２】
続いて、図６−３を参照して入力関連処理（ステップＡ３０）について説明をする。
【００６３】
まず、ステップＳ３１において表示切り替えボタンの押下があったか否かを確認する。押下がなかった場合にはステップＳ４０に進む（ステップＳ３１においてＮｏ）。一方、押下があった場合には（ステップＳ３１においてＹｅｓ）、表示切り替えボタンにより指示された切り替え先が電話機本体部１００であるか確認する。
【００６４】
電話機本体部１００であった場合は（ステップＳ３２においてＹｅｓ）、変動表示エリアに表示を行う機器を電話機本体部１００に割り当てる（ステップＳ３３）。一方で、切り替え先が電話機本体部１００では無い場合は（ステップＳ３２においてＮｏ）、切り替え先がＰＣ３００であるか確認する（ステップＳ３４）。
【００６５】
切り替え先がＰＣ３００では無い場合には（ステップＳ３４においてＮｏ）、ステップＳ４０へと進む。これは例えば、電話機本体部１００への表示切り替えボタンとＰＣ３００への表示切り替えボタンが同時に押下されてしまいどちらの表示切り替えボタンが押されたのかを判別できない場合等である。
【００６６】
一方、切り替え先がＰＣ３００である場合には（ステップＳ３５においてＹｅｓ）、ＰＣ接続フラグがセットされているか否かを確認する（ステップＳ３５）。ＰＣ接続フラグがセットされている場合には変動表示エリアに表示する機器をＰＣ３００に割り当てる（ステップＳ３５においてＹｅｓ及びステップＳ３６）。ＰＣ接続フラグがセットされていない場合には（ステップＳ３５においてＮｏ）、ＰＣ３００はタッチパネル機能付きディスプレイ部２００に接続されていない状態である。そのため、変動表示エリアに表示する機器の割当てを電話機本体部１００とすると共に、ＰＣ３００は非接続である旨のメッセージを固定表示エリア及び変動表示エリアの何れか又は双方に表示する（ステップＳ３７及びステップＳ３８）。なお、エラー表示は行わず、単に変動表示エリアに表示する機器の割当てを電話機本体部１００とするだけでも良い。
【００６７】
続いて、ステップＳ４０において固定表示エリアに入力があったのかを確認する。入力があった場合にはこの入力を受け付けたディスプレイ２０６上の位置を表す位置情報を電話機本体部１００に出力する（ステップＳ４０においてＹｅｓ及びステップＳ４１）。一方で、入力が無かった場合には（ステップＳ４０においてＮｏ）、そのままステップＳ４２へと進む。
【００６８】
ステップＳ４２では変動表示エリアに入力があったのかを確認する。入力が無かった場合には（ステップＳ４２においてＮｏ）、入力関連処理（ステップＡ３０）を終了する。
【００６９】
一方で、変動表示エリアに入力があった場合は（ステップＳ４２においてＹｅｓ）、ステップＳ４４に進む。
【００７０】
ステップＳ４４では現在変動表示エリアに表示する機器として割り当てられている機器が電話機本体部１００であるか確認する。電話機本体部１００である場合には（ステップＳ４４においてＹｅｓ）、入力を受け付けたディスプレイ２０６上の位置を表す位置情報を電話機本体部１００に出力する（ステップＳ４６）。そして、入力関連処理（ステップＡ３０）を終了する。
【００７１】
一方で、変動表示エリアに表示する機器として割り当てられている機器が電話機本体部１００では無くＰＣ３００であった場合には（ステップＳ４４においてＮｏ及びステップＳ４５においてＹｅｓ）、入力を受け付けたディスプレイ２０６上の位置を表す位置情報をＰＣ３００に出力する（ステップＳ４７）。そして、入力関連処理（ステップＡ３０）を終了する。
【００７２】
最後に、図６−４を参照して表示関連処理（ステップＡ６０）について説明する。
【００７３】
まず、表示情報が電話機本体部１００から入力されているかを確認し、電話機本体部１００から電話機側表示情報の入力が無い場合にはステップＳ６７へと進む（ステップＳ６２においてＮｏ）。
【００７４】
一方で、電話機本体部１００から電話機側表示情報の入力があった場合には（ステップＳ６２においてＹｅｓ）、この電話機側表示情報が固定表示エリアを指定するものであるか確認する（ステップＳ６３）。
【００７５】
固定表示エリアを指定するものであった場合には、電話機側表示情報を固定表示エリアに表示する（ステップＳ６３においてＹｅｓ及びステップＳ６４）。一方、固定表示エリアを指定するものではない場合には、変動表示エリアに表示する機器として割り当てられているのが電話機本体部１００であるか確認する（ステップＳ６５）。
【００７６】
割当てが電話機本体部１００である場合には、電話機側表示情報を変動表示エリアに表示する（ステップＳ６５においてＹｅｓ及びステップＳ６６）。一方で、割当てが電話機本体部１００でない場合には、電話機側表示情報を変動表示エリアに表示することなく、そのままステップＳ６７へと進む（ステップＳ６５においてＮｏ）。
【００７７】
次に、表示情報がＰＣ３００から入力されているかを確認し、ＰＣ３００からＰＣ側表示情報の入力が無い場合には、表示関連処理（ステップＡ６０）を終了する（ステップＳ６７においてＮｏ）。
【００７８】
一方で、ＰＣ３００からＰＣ側表示情報の入力があった場合には（ステップＳ６７においてＹｅｓ）、変動表示エリアに表示する機器として割り当てられているのがＰＣ３００であるか確認する（ステップＳ６８）。
【００７９】
割当てがＰＣ３００である場合には、ＰＣ側表示情報を変動表示エリアに表示する（ステップＳ６８においてＹｅｓ及びステップＳ６９）。一方で、割当てがＰＣ３００でない場合には、ＰＣ側表示情報を変動表示エリアに表示することなく、そのまま表示関連処理（ステップＡ６０）を終了する（ステップＳ６８においてＮｏ）。
【００８０】
以上が本実施形態の基本的動作である。なお、この動作は一例に過ぎず、本実施形態の要旨を逸脱しない範囲で任意に変更、追加及び修正が可能である。
【００８１】
続いて、主制御部２０３及び表示機能制御部２０１がどのようにディスプレイ２０６に表示を行うのかについて説明を行う。表示方法の具体例として、今回は２つの例を説明する。
【００８２】
まず第１の例では、電話機本体部１００から電話機側表示情報が来たならば、それが固定表示エリアでの表示を指定するものであるのか、それが変動表示エリアでの表示を指定するものであるのかを判別する。そして、固定表示エリアでの表示を指定するものならば、送られてきた電話機側表示情報を固定表示エリアに描画する。一方で、変動表示エリアでの表示を指定するものであり且つ現在変動表示エリアに表示を行う機器が電話機本体部１００に設定されているならば、送られてきた電話機側表示情報を変動表示エリアに描画する。
【００８３】
一方で、ＰＣ３００からＰＣ側表示情報が来たならば、現在変動表示エリアに表示を行う機器がＰＣ３００に設定されていることを確認した上で、送られてきた電話機側表示情報を変動表示エリアに描画する。これが第１の表示方法の例である。
【００８４】
一方で、表示方法の第２の例としては、少なくとも変動表示エリアに対して表示する情報をバッファリングする用途で、電話機対応バッファとＰＣ対応バッファを設けておく方法が考えられる。
【００８５】
そして、現在変動表示エリアに表示を行う機器の設定とは無関係に、電話機体部１００から変動表示エリアに対する電話機側表示情報が来たら電話機対応バッファに無条件で書き込み、ＰＣ３００から変動表示エリアに対するＰＣ側表示情報が来たらＰＣ対応バッファに無条件で書き込む。そして、現在変動表示エリアに表示を行う機器の設定及びその後の表示切り替えボタンの押下に応じて、選択された方のバッファ内容を変動表示エリアに表示する。これが第２の表示方法の例である。
【００８６】
第１の表示方法の例を採用した場合、２つのバッファを設ける必要は無くなるが、表示機能制御部２０１の画像変換処理能力によっては表示切り替えにタイムラグが発生する可能性がある。一方で、第２の表示方法の例を採用した場合には、２つのバッファが必要とはなるが、電話機側表示情報及びＰＣ側表示情報の双方をバッファリングしておくことが可能となるので表示切り替え時の画像変換処理を高速化することが可能となる。
【００８７】
以上説明した本発明の実施形態は、以下に示すような多くの効果を奏する。
【００８８】
第１の効果は、ＰＣの補助機能を、このアクセサリ機能の提供の為だけの専用のハードを追加せずに実現可能とすることである。
【００８９】
その理由は、ディスプレイ部を電話機と共用することによってＰＣのアクセサリ機能を実現するからである。
【００９０】
第２の効果は、表示内容を自由にカスタマイズ可能なことである。
【００９１】
その理由は、表示内容は電話機本体もしくはＰＣ側で自由に選択及び修正可能であるためである。
【００９２】
第３の効果は、デスクの占有エリアを増やすことなく、ＰＣの補助機能の追加が可能となることである。
【００９３】
その理由は、ＰＣに対して自由に表示可能なディスプレイを追加し、またタッチパネルで入力も出来ることである。
【００９４】
第４の効果は、タッチパネル機能付きディスプレイ部との接続用インターフェースをＵＳＢ等の汎用Ｉ／ＦにすることでＰＣに限定されない、携帯電話機等の入力補助機能にも転用できることである。
【００９５】
なお、上述した実施形態は、本発明の好適な実施形態ではあるが、上記実施形態のみに本発明の範囲を限定するものではなく、本発明の要旨を逸脱しない範囲において種々の変更を施した形態での実施が可能である。
【００９６】
例えば、下述する各変形例のような変形を行うことが可能である。また、下述する各変形例における変形を任意に組み合わせることも可能である。
【００９７】
まず、第１の変形例について説明する。上述の実施形態では変動表示エリアを１つの表示エリアとして扱っていた。もっともこれを変形し、変動表示エリアを２つ以上に分割して区分するようにしても良い。そして、それぞれの変動表示エリアにおいて異なる機器を割り当て、異なる機器の表示情報を表示するようにしても良い。本変形例では、これを混合モードと呼ぶこととする。
【００９８】
混同モードでセットされた場合には、例えば、変動表示エリアを上下２つにし、第１の変動表示エリアと第２の変動表示エリアとに分割する。そして、これに伴い表示切り替えボタンの構成も異なったものとする。例えば、第１の変動表示エリア用にＰＣ側切り替えボタンと電話機側切り替えボタンの２つを用意し、第２の変動表示エリア用にもＰＣ側切り替えボタンと電話機側切り替えボタンの２つを用意する。すなわち、４つの切り替えボタンを用意する。または、第１の変動表示エリアと第２の変動表示エリアにそれぞれ切り替えボタンを用意し、それぞれの変動表示エリアにて切り替えボタンを押下される度にそれぞれの表示を切り替えるようにする。
【００９９】
本第１の変形例の動作について図６−５及び図６−６のフローチャートを参照して説明をする。なお本変形例においても図６−１に表されるように３つの処理が行われる。そして、ＰＣ接続関連処理（ステップＡ１０）に関しては上述した実施形態からの変形は無く、図６−２に表される処理が実行される。一方で、入力関連処理（ステップＡ３０）は図６−５に表される処理に置き換えられる。同様に表示関連処理（ステップＡ６０）は図６−６に表される処理に置き換えられる。
【０１００】
以下の説明においては、本変形例において変形される図６−５に表される処理及び図６−６に表される処理について説明し、更に図６−５に表される処理及び図６−６に表される処理に含まれる処理であっても図６−３に表される処理及び図６−４に表される処理と重複するステップに関しては説明を省略する。
【０１０１】
まず、図６−５を参照して説明する。
【０１０２】
ステップＳ４２においてＹｅｓだった場合に、現在混同モードであるか否かを確認する（ステップＳ４３）。混同モードでない場合にはステップＳ４４へと進む（ステップＳ４３においてＮｏ）。その後の処理は上述の実施形態と同様である。
【０１０３】
一方で、混同モードである場合には（ステップＳ４３においてＹｅｓ）、入力を受け付けた位置が変動表示エリア内のうち、電話機本体部１００が表示する機器として割り当てられているエリアであるかを確認する（ステップＳ４８）。電話機本体部１００が表示する機器として割り当てられているエリアであった場合には（ステップＳ４８においてＹｅｓ）、入力を受け付けたディスプレイ２０６上の位置を表す位置情報を電話機本体部１００に出力する（ステップＳ５０）。そして、入力関連処理（ステップＡ３０）を終了する。
【０１０４】
一方で、電話機本体部１００が表示する機器として割り当てられているエリアでなく、ＰＣ３００が表示する機器として割り当てられているエリアであった場合には（ステップＳ４８においてＮｏ及びステップＳ４９においてＹｅｓ）、入力を受け付けたディスプレイ２０６上の位置を表す位置情報をＰＣ３００に出力する（ステップＳ５１）。そして、入力関連処理（ステップＡ３０）を終了する。
【０１０５】
次に図６−６を参照して説明する。
【０１０６】
最初に混同モードであるか否かを確認する（ステップＳ６１）。混同モードでない場合には（ステップＳ６１においてＮｏ）、ステップＳ６２へと進む。その後の処理は上述の実施形態と同様である。
【０１０７】
一方で、混同モードである場合には（ステップ６１においてＹｅｓ）、ステップＳ７０に進む。
【０１０８】
そして、表示情報が電話機本体部１００から入力されているかを確認し、電話機本体部１００から電話機側表示情報の入力が無い場合にはステップＳ７４へと進む（ステップＳ７０においてＮｏ）。
【０１０９】
一方で、電話機本体部１００から電話機側表示情報の入力があった場合には（ステップＳ７０においてＹｅｓ）、この電話機側表示情報が固定表示エリアを指定するものであるか確認する（ステップＳ７１）。
【０１１０】
固定表示エリアを指定するものであった場合には、電話機側表示情報を固定表示エリアに表示する（ステップＳ７１においてＹｅｓ及びステップＳ７２）。一方、固定表示エリアを指定するものではない場合には、変動表示エリア内の電話機本体部１００に割り当てられている変動表示エリアに電話機側表示情報を表示する（ステップＳ７３）。
【０１１１】
次に、表示情報がＰＣ３００から入力されているかを確認し、ＰＣ３００からＰＣ側表示情報の入力が無い場合には、表示関連処理（ステップＡ６０）を終了する（ステップＳ７４においてＮｏ）。
【０１１２】
一方で、ＰＣ３００からＰＣ側表示情報の入力があった場合には（ステップＳ７４においてＹｅｓ）、動表示エリア内のＰＣ３００に割り当てられている変動表示エリアにＰＣ側表示情報を変動表示エリアに表示する（ステップＳ７４においてＹｅｓ及びステップＳ７５）。そして、表示関連処理（ステップＡ６０）を終了する（ステップＳ６５においてＮｏ）。
【０１１３】
以上が本変形例の動作である。そして以上説明した本変形例は、タッチパネル２０６の変動表示エリアを更に分割して利用することができ、ユーザの多様なニーズにより柔軟に適用できるという有利な効果を奏する。
【０１１４】
なお、本変形例においては、第１の変動表示エリアと第２の変動表示エリアの区分を切り替えるようなボタンを設けても良い。この場合、例えばボタンの押下を受け付けると上下分割ではなく左右に分割することにより２つの変動表示エリアを設けるように切り替える等したり、ボタンの押下を受け付けると第１の変動表示エリアの表示面積を第２の変動表示エリアよりも広くしたりするようにしても良い。
【０１１５】
なお、第１の変動表示エリア及び第２の変動表示エリアの双方について表示を行う機器が同一となっても良い。例えばＰＣ３００が第１の変動表示エリア及び第２の変動表示エリアの双方について表示を行う機器となったのであれば、ＰＣ側表示情報が第１の変動表示エリアへの表示を指定するものである場合にＰＣ側表示情報を第１の変動表示エリアに表示し、ＰＣ側表示情報が第２の変動表示エリアへの表示を指定するものである場合にＰＣ側表示情報を第２の変動表示エリアに表示する。
【０１１６】
次に、第２の変形例について図７を参照して説明する。図７の左側にはタッチパネル機能付きディスプレイ部２００に含まれるディスプレイ２０６上に表示されるＰＣ側表示情報の一例として複数のアイコン５００が表されている。一方で、図７の右側にはＰＣ３００と接続された表示部又はＰＣ３００に含まれる表示部であるディスプレイ４００（以下、単に「ディスプレイ４００」と呼ぶ。）が表されている。
【０１１７】
本変形例ではＰＣ側表示情報として表示される複数のアイコン５００のそれぞれにアプリケーション部３０２により実現される複数のアプリケーションのそれぞれが割り当てられている。そして、何れかのアイコン５００がユーザの押下を受け付けた場合には、このアプリケーションが起動又は拡大表示されアプリケーション部３０２により表示される情報がディスプレイ４００に表示される。これを表したのが押下されたアイコンに割り当てられているアプリケーションに応じた表示５１０（以下、単に「表示５１０」と呼ぶ。）である。
【０１１８】
このようにすることにより、多くのアプリケーションを簡便且つ直感的に起動したり、拡大表示に切り替えることが可能となり、２つの表示部を有効に利用することが可能となる。なお、アイコン５００というのはあくまで例示であり、その個数や形状に特に制限は無い。また、例えばアイコンではなくアプリケーションの名称の一覧をメニュー表示するようにしても良い。
【０１１９】
更に、アイコン５００をディスプレイ４００に表示し、表示５１０をディスプレイ２０６に表示するようにしても良い。更にこれらの表示を組み合わせるようにしても良い。例えば、ディスプレイ４００及びディスプレイ２０６の何れか又は双方の下部にアイコン５００を表示し、上部に表示５１０を表示するようにしても良い。また、表示５１０やアイコン５００をディスプレイ４００及びディスプレイ２０６の何れに表示させるのかを、ユーザにその都度選択させたり又は予め設定させたりしても良い。更にこの選択や設定はアプリケーション毎に個別に行われても良いし、他の単位で行われても良い。例えば、アプリケーションの種別毎に行われても良いし、全てのアプリケーションに対して一律に行われても良い。
【０１２０】
このようにユーザによる選択等を可能とすることにより、例えばディスプレイ４００がスマートフォンの画面でありディスプレイ２０６より小さい場合等にも柔軟に対応可能となる。
【０１２１】
更に、アイコン５００はそれぞれが異なるアプリケーションに割り当てられていても良いが、その一部又は全部に同じアプリケーションに割り当てられていても良い。例えば、同一の文章作成用アプリケーションで作成された異なる文書ファイルがそれぞれアイコン５００に割り当てられていても良い。
【０１２２】
なお、アイコン５００の表示はアプリケーション部３０２により実現されるアプリケーションにより行われることを想定する。もっとも、例えば主制御部２０３により実現されるアプリケーションによりアイコン５００の表示が行われるようにしても良い。
【０１２３】
また、所定の操作に応じてアイコン５００に対応するアプリケーションが起動するようにしても良いが、ＰＣ３００がタッチパネル機能付きディスプレイ部２００に接続された際に、アイコン５００に対応するアプリケーションがユーザの操作を必要とすることなく自動的に起動するようにしても良い。
【０１２４】
また、上述した実施形態ではタッチパネル機能付きディスプレイ部２００は電話機のディスプレイとして機能するものである。そこで、タッチパネル機能付きディスプレイ部２００を電話機特有の操作と連携させるような変形例として第３の変形例が考えられる。
【０１２５】
具体例としては、電話機本体部１００に含まれる又は電話機本体部１００に接続されるハンドセット（図示を省略する）と主制御部２０３による表示情報の切り替えとを連携させることが考えられる。
【０１２６】
具体例を考えると、ユーザがハンドセットを手に持ち、オフフックの状態となった場合、ユーザが発呼を試みる又は留守番電話機能により録音された音声を再生する等の意図があると推定される。そこで、このようにオフフックの状態となった場合には例えばＰＣ側表示情報が表示されていたとしても、自動的に電話機側表示情報に表示を切り替えるようにしても良い。
【０１２７】
また、同様にオンフックした場合には通話や録音音声の再生が終了したものと考えられる。そこで、この場合には自動的にＰＣ側表示情報に表示を切り替えるようにしても良い。更に、電話の着信が有った場合には自動的に電話機側表示情報が表示されてもよい。
【０１２８】
続いて、第４の変形例について図８を参照して説明する。図８では同一のアプリケーション（第１のアプリケーション）により表示される情報５２１及び５２２がディスプレイ２０６及びディスプレイ４００の双方に表示されている。この際、ディスプレイ２０６及びディスプレイ４００の双方に全く同じ情報をサイズ調整等を行いつつ表示することも可能ではあるが、複数のディスプレイを有効利用するという観点からは、異なる情報を表示することが好ましい。
【０１２９】
例えば、第１のアプリケーションが文章作成に関するアプリケーションであるとするならば、ディスプレイ２０６に文字の手書き入力を受け付ける表示を行い、ディスプレイ４００には漢字の変換候補や作成済みの文章を表示するようにしても良い。また、第１のアプリケーションが動画再生アプリケーションであるならば、ディスプレイ２０６に再生可能な動画ファイルの一覧を表示させ、ディスプレイ２０６上で選択された動画ファイルをディスプレイ４００にて再生するような表示方法を採用しても良い。すなわち、各ディスプレイに表示する内容は相違するが全体として一つのアプリケーションとして機能するような表示方法を採用しても良い。
【０１３０】
続いて、第５の変形例について図９を参照して説明する。図９では異なるアプリケーション（第１のアプリケーション及び第２のアプリケーション）により表示される情報がディスプレイ２０６及びディスプレイ４００のそれぞれに表示されている。これにより例えば表計算に関してのアプリケーションを参照しながら文章作成アプリケーションを利用する、といった用途に適用させることが可能となる。なお、各ディスプレイとアプリケーションとの関係は必ずしも１対１とする必要はなく、例えばディスプレイ２０６には１つのアプリケーションの表示を行い、ディスプレイ４００には２つのアプリケーションの表示を行うようにしても良い。
【０１３１】
続いて、第６の変形例について図１０を参照して説明する。図１０ではディスプレイ２０６に設けられていた固定表示エリアをディスプレイ４００に表示する。すなわち、ディスプレイ４００上の固定表示エリアに最低限の電話機能表示である電話機能表示５４０を行うようにする。これを実現するために主制御部２０３は位置情報と共に電話機側表示情報をＰＣ３００に送信するようにする。
【０１３２】
なお、上述の説明においてはディスプレイ４００とディスプレイ２０６はそれぞれ一つずつであることを想定していたが、それぞれが複数であっても良い。この場合はディスプレイの総数が３以上となっても良い。更にＰＣ３００はディスプレイ４００と接続されておらず、ディスプレイ４００を含んでいなくとも良い。すなわち、タッチパネル機能付きディスプレイ部２００のみが表示装置として存在していても良い。
【０１３３】
また、各変形例を組み合わせる場合について、その一例を説明する。図７に表されるようなアイコン５００群中の何れかのアイコン５００が選択された場合に、この選択されたアイコン５００に対応するアプリケーション（例えば図４に表される電卓アプリや図５に表されるペイントアプリ）をディスプレイ２０６の変動表示エリア（例外的に固定表示エリアを含んでも良い）に表示し、アイコン５００群は表示しないようにしても良い。すなわち図９や図１０に表されるような表示状態へと切り替えるようにしても良い。そして、このアプリケーション終了後に、再度、図７のようにアイコン５００群を表示するようにしても良い。また、ディスプレイ２０６上に表示されているアプリケーションよりも先に、ディスプレイ４００上に表示されているアプリケーションが終了したならば、今度はディスプレイ４００上にアイコン５００群を表示するようにしても良い。
【０１３４】
なお、上記の兼用グラフィックユーザインターフェース装置は、ハードウェア、ソフトウェア又はこれらの組合わせにより実現することができる。また、上記の兼用グラフィックユーザインターフェース装置により行なわれる兼用方法も、ハードウェア、ソフトウェア又はこれらの組合わせにより実現することができる。ここで、ソフトウェアによって実現されるとは、コンピュータがプログラムを読み込んで実行することにより実現されることを意味する。
【０１３５】
プログラムは、様々なタイプの非一時的なコンピュータ可読媒体(non-transitory computer readable medium)を用いて格納され、コンピュータに供給することができる。非一時的なコンピュータ可読媒体は、様々なタイプの実体のある記録媒体(tangible storage medium)を含む。非一時的なコンピュータ可読媒体の例は、磁気記録媒体（例えば、フレキシブルディスク、磁気テープ、ハードディスクドライブ）、光磁気記録媒体（例えば、光磁気ディスク）、ＣＤ−ＲＯＭ(Read Only Memory)、ＣＤ−Ｒ、ＣＤ−Ｒ／Ｗ、半導体メモリ（例えば、マスクＲＯＭ、ＰＲＯＭ(Programmable ROM)、ＥＰＲＯＭ(Erasable PROM)、フラッシュＲＯＭ、ＲＡＭ(random access memory)を含む。また、プログラムは、様々なタイプの一時的なコンピュータ可読媒体(transitory computer readable medium)によってコンピュータに供給されてもよい。一時的なコンピュータ可読媒体の例は、電気信号、光信号、及び電磁波を含む。一時的なコンピュータ可読媒体は、電線及び光ファイバ等の有線通信路、又は無線通信路を介して、プログラムをコンピュータに供給できる。
【０１３６】
上記の実施形態の一部又は全部は、以下の付記のようにも記載されうるが、以下には限られない。
【０１３７】
（付記１）  第１の装置と第２の装置とのためのグラフィックユーザインターフェース装置であって、
前記第１の装置に割り当てられる固定表示エリアと、
変動表示エリアと、
前記変動表示エリアに前記第１の装置及び前記第２の装置のうちの一方を割り当てる割当手段と、
前記固定表示エリアの指定を伴う表示情報を前記第１の装置から入力した時に、その表示情報に基づいて前記固定表示エリアに表示をする手段と、
前記変動表示エリアの指定を伴う表示情報を前記第１の装置から入力した時に、前記割当手段により前記第１の装置が前記変動表示エリアに割り当てられているならば、その表示情報に基づいて前記変動表示エリアに表示をする手段と、
表示情報を前記第２の装置から入力した時に、前記割当手段により前記第２の装置が前記変動表示エリアに割り当てられているならば、その表示情報に基づいて前記変動表示エリアに表示をする手段と、
を備えることを特徴とするグラフィックユーザインターフェース装置。
【０１３８】
（付記２）  付記１に記載のグラフィックユーザインターフェース装置であって、
前記固定表示エリアに対して入力があった時に、該入力の位置を示す位置情報を前記第１の装置に出力する手段と、
前記変動表示エリアに対して入力があった時に、前記割当手段により前記第１の装置が前記変動表示エリアに割り当てられているならば、前記入力の位置を示す位置情報を前記第１の装置に出力する手段と、
前記変動表示エリアに対して入力があった時に、前記割当手段により前記第２の装置が前記変動表示エリアに割り当てられているならば、前記入力の位置を示す位置情報を前記第２の装置に出力する手段と、
を更に備えることを特徴とするグラフィックユーザインターフェース装置。
【０１３９】
（付記３）  付記１又は２に記載のグラフィックユーザインターフェース装置であって、
前記割当手段は、前記変動表示エリアに前記第１の装置及び前記第２の装置の双方を同時に割り当てる同時割り当てモードも有し、
前記同時割り当てモードにおいて、前記変動表示エリアの指定を伴う表示情報を前記第１の装置から入力した時に、その表示情報に基づいて前記変動表示エリアのうちの前記第１の装置に割り当てられている部分に表示をし、表示情報を前記第２の装置から入力した時に、その表示情報に基づいて前記変動表示エリアのうちの前記第２の装置に割り当てられている部分に表示をする手段を更に備えることを特徴とするグラフィックユーザインターフェース装置。
【０１４０】
（付記４）  付記３に記載のグラフィックユーザインターフェース装置であって、
前記同時割り当てモードにおいて、前記変動表示エリアに対して入力があった時に、前記入力の位置を示す位置情報を前記第１の装置及び前記第２の装置のうちの前記位置情報を含む部分が割り当てられている装置に出力する手段を更に有することを特徴とするグラフィックユーザインターフェース装置。
【０１４１】
（付記５）  付記１乃至４の何れか１に記載のグラフィックユーザインターフェース装置であって、
前記割当手段は、前記固定エリアに設けられた選択スイッチに対する操作に従って割当てを行うことを特徴とするグラフィックユーザインターフェース装置。
【０１４２】
（付記６）  付記１乃至４の何れか１に記載のグラフィックユーザインターフェース装置であって、
前記割当手段は、前記第１の装置における所定の動作があった旨の通知を前記第１の装置から入力した時に、前記変動表示エリアを前記第１の装置に割り当てることを特徴とするグラフィックユーザインターフェース装置。
【０１４３】
（付記７）  第１の装置と第２の装置とのためのグラフィックユーザインターフェース装置を前記第１の装置と第２の装置とで兼用させるための兼用方法であって、
前記グラフィックユーザインターフェース装置の表示画面を、第１の装置に割り当てられる固定表示エリアと、変動表示エリアと、の２つのエリアに区分するステップと、
前記変動表示エリアに前記第１の装置及び前記第２の装置のうちの一方を割り当てる割当ステップと、
前記固定表示エリアの指定を伴う表示情報を前記第１の装置から入力した時に、その表示情報に基づいて前記固定表示エリアに表示をするステップと、
前記変動表示エリアの指定を伴う表示情報を前記第１の装置から入力した時に、前記割当ステップにおいて前記第１の装置が前記変動表示エリアに割り当てられているならば、その表示情報に基づいて前記変動表示エリアに表示をするステップと、
表示情報を前記第２の装置から入力した時に、前記割当ステップにおいて前記第２の装置が前記変動表示エリアに割り当てられているならば、その表示情報に基づいて前記変動表示エリアに表示をするステップと、
を有することを特徴とする兼用方法。
【０１４４】
（付記８）  付記７に記載の兼用方法であって、
前記固定表示エリアに対して入力があった時に、該入力の位置を示す位置情報を前記第１の装置に出力するステップと、
前記変動表示エリアに対して入力があった時に、前記割当ステップにより前記第１の装置が前記変動表示エリアに割り当てられているならば、前記入力の位置を示す位置情報を前記第１の装置に出力するステップと、
前記変動表示エリアに対して入力があった時に、前記割当ステップにより前記第２の装置が前記変動表示エリアに割り当てられているならば、前記入力の位置を示す位置情報を前記第２の装置に出力するステップと、
を更に有することを特徴とする兼用方法。
【０１４５】
（付記９）  付記７又は８に記載の兼用方法であって、
前記割当ステップでは、前記変動表示エリアに前記第１の装置及び前記第２の装置の双方を同時に割り当てる同時割り当てモードの設定も許容し、
前記同時割り当てモードにおいて、前記変動表示エリアの指定を伴う表示情報を前記第１の装置から入力した時に、その表示情報に基づいて前記変動表示エリアのうちの前記第１の装置に割り当てられている部分に表示をし、表示情報を前記第２の装置から入力した時に、その表示情報に基づいて前記変動表示エリアのうちの前記第２の装置に割り当てられている部分に表示をするステップを更に備えることを特徴とする兼用方法。
【０１４６】
（付記１０）  付記９に記載の兼用方法であって、
前記同時割り当てモードにおいて、前記変動表示エリアに対して入力があった時に、前記入力の位置を示す位置情報を前記第１の装置及び前記第２の装置のうちの前記位置情報を含む部分が割り当てられている装置に出力するステップを更に有することを特徴とする兼用方法。
【０１４７】
（付記１１）  付記７乃至１０の何れか１に記載の兼用方法であって、
前記割当ステップでは、前記固定エリアに設けられた選択スイッチに対する操作に従って割当てを行うことを特徴とする兼用方法。
【０１４８】
（付記１２）  付記７乃至１１の何れか１に記載の兼用方法であって、
前記割当ステップでは、前記第１の装置における所定の動作があった旨の通知を前記第１の装置から入力した時に、前記変動表示エリアを前記第１の装置に割り当てることを特徴とする兼用方法。
【０１４９】
（付記１３）  第１の装置と第２の装置とのためのグラフィックユーザインターフェース装置としてコンピュータを機能させる為の兼用プログラムであって、
前記コンピュータを、
前記第１の装置に割り当てられる固定表示エリアと、
変動表示エリアと、
前記変動表示エリアに前記第１の装置及び前記第２の装置のうちの一方を割り当てる割当手段と、
前記固定表示エリアの指定を伴う表示情報を前記第１の装置から入力した時に、その表示情報に基づいて前記固定表示エリアに表示をする手段と、
前記変動表示エリアの指定を伴う表示情報を前記第１の装置から入力した時に、前記割当手段により前記第１の装置が前記変動表示エリアに割り当てられているならば、その表示情報に基づいて前記変動表示エリアに表示をする手段と、
表示情報を前記第２の装置から入力した時に、前記割当手段により前記第２の装置が前記変動表示エリアに割り当てられているならば、その表示情報に基づいて前記変動表示エリアに表示をする手段と、
を備えるグラフィックユーザインターフェース装置として機能させることを特徴とする兼用プログラム。
【０１５０】
（付記１４）  付記１３に記載の兼用プログラムであって、
前記固定表示エリアに対して入力があった時に、該入力の位置を示す位置情報を前記第１の装置に出力する手段と、
前記変動表示エリアに対して入力があった時に、前記割当手段により前記第１の装置が前記変動表示エリアに割り当てられているならば、前記入力の位置を示す位置情報を前記第１の装置に出力する手段と、
前記変動表示エリアに対して入力があった時に、前記割当手段により前記第２の装置が前記変動表示エリアに割り当てられているならば、前記入力の位置を示す位置情報を前記第２の装置に出力する手段と、
を更に備えることを特徴とする兼用プログラム。
【０１５１】
（付記１５）  付記１３又は１４に記載の兼用プログラムであって、
前記割当手段は、前記変動表示エリアに前記第１の装置及び前記第２の装置の双方を同時に割り当てる同時割り当てモードも有し、
前記同時割り当てモードにおいて、前記変動表示エリアの指定を伴う表示情報を前記第１の装置から入力した時に、その表示情報に基づいて前記変動表示エリアのうちの前記第１の装置に割り当てられている部分に表示をし、表示情報を前記第２の装置から入力した時に、その表示情報に基づいて前記変動表示エリアのうちの前記第２の装置に割り当てられている部分に表示をする手段を更に備えることを特徴とする兼用プログラム。
【０１５２】
（付記１６）  付記１５に記載の兼用プログラムであって、
前記同時割り当てモードにおいて、前記変動表示エリアに対して入力があった時に、前記入力の位置を示す位置情報を前記第１の装置及び前記第２の装置のうちの前記位置情報を含む部分が割り当てられている装置に出力する手段を更に有することを特徴とする兼用プログラム。
【０１５３】
（付記１７）  付記１３乃至１６の何れか１に記載の兼用プログラムであって、
前記割当手段は、前記固定エリアに設けられた選択スイッチに対する操作に従って割当てを行うことを特徴とする兼用プログラム。
【０１５４】
（付記１８）  付記１３乃至１７の何れか１に記載の兼用プログラムであって、
前記割当手段は、前記第１の装置における所定の動作があった旨の通知を前記第１の装置から入力した時に、前記変動表示エリアを前記第１の装置に割り当てることを特徴とする兼用プログラム。
【産業上の利用可能性】
【０１５５】
本発明は、ディスプレイ等の表示装置を兼用する用途であれば、適用する機器等を限定することなく、任意の機器に好適である。
【符号の説明】
【０１５６】
１００  電話機本体部
１０１  電話機能制御部
２００  タッチパネル機能付きディスプレイ部
２０１  表示機能制御部
２０２  電話機接続Ｉ／Ｆ
２０３  主制御部
２０４  ＰＣ接続Ｉ／Ｆ
２０５  タッチパネル制御部
２０６  ディスプレイ
２０７  タッチパネル
３００  ＰＣ
３０１  制御ドライバ
３０２  アプリケーション部
４００  ディスプレイ
５１０、５２０、５２２、５３０  アプリケーションに応じた表示
５４０  電話機能表示
【図１】
2014095738.tif 000003
【図２】
2014095738.tif 000004
【図３】
2014095738.tif 000005
【図４】
2014095738.tif 000006
【図５】
2014095738.tif 000007
【図６−１】
2014095738.tif 000008
【図６−２】
2014095738.tif 000009
【図６−３】
2014095738.tif 000010
【図６−４】
2014095738.tif 000011
【図６−５】
2014095738.tif 000012
【図６−６】
2014095738.tif 000013
【図７】
2014095738.tif 000014
【図８】
2014095738.tif 000015
【図９】
2014095738.tif 000016
【図１０】
2014095738.tif 000017